(57)【要約】【課題】扉内側の食品収納性を高め、開扉力が小さく、使い勝手の良い扉装置を提供するとともに扉装置により消費電力量を低減できる冷蔵庫を提供する。【解決手段】断熱箱体の上部に形成した貯蔵室の開口部に設けられた観音開式の扉４６，４７の非支持側の側面に枠板５１，５２に取り付けられた可動仕切体７３，７４を設け、仕切体上下部の案内溝部１１１，１１２の曲面を動作させる突起１１０を貯蔵室の天面または底面に設け、扉４６、４７の開閉動作に連動して可動仕切体７３，７４のみが扉と平行に可動させることにより、可動仕切体７３，７４同士を簡素な構成で密着，密着解除できる扉装置および冷蔵庫を実現する。【選択図】図５
2005337680.tif 000002
【特許請求の範囲】
【請求項１】
箱体の開口部において外周部の一側面を対向させて配置した二つの扉と、前記二つの扉の裏面に設けられ閉扉時に前記箱体の開口部前縁に密着するガスケットと、前記二つの扉の対向する一側面に配置されて閉扉時に相互に密着し、かつ前記ガスケットと密着する一対の仕切体を備えて、前記一対の仕切体は、扉の開閉動作に連動して前記仕切体のみが扉と平行に可動することを特徴とする扉装置。
【請求項２】
箱体の開口部左右両側に回動自在に枢支された観音開き式の両扉と、前記両扉の裏面に設けられ閉扉時に前記箱体の開口部前縁に密着するガスケットと、前記両扉の非枢支側の側面に配置されて閉扉時に相互に密着し、かつ前記ガスケットと密着する一対の仕切体を備えて、前記一対の仕切体は、扉の開閉動作に連動して前記仕切体のみが扉と平行に可動することを特徴とする扉装置。
【請求項３】
相互に密着する一対の仕切体の密着面にガスケットを備えたことを特徴とする請求項１または請求項２に記載の扉装置。
【請求項４】
相互に密着する一対のガスケットの密着面内側にマグネットを備えたことを特徴とする請求３に記載の扉装置。
【請求項５】
マグネットを密着面において複数の異極に磁化されたマグネットとし、閉扉時相互に対向するマグネットを異極としたことを特徴とする請求項４に記載の扉装置。
【請求項６】
開扉時に可動仕切体の動作により仕切体相互の密着を解除するように構成したことを特徴とする請求項１から請求項５のいずれか一項に記載の扉装置。
【請求項７】
扉に設けられ可動仕切体に取り付けられたラッチ部と、箱体に設けられ前記ラッチ部と当接して前記仕切体を動作させるガイド部とを備えたことを特徴とする請求項１から請求項６のいずれか一項に記載の扉装置。
【請求項８】
可動仕切体を二つの扉の対向する一側面を構成する枠板に保持させることを特徴とする請求項１から請求項７のいずれか一項に記載の扉装置。
【請求項９】
可動仕切体内部に扉内部と外気温との温度差により生じる露付き防止のためのヒーターを配設することを特徴とする請求項１から請求項８のいずれか一項に記載の扉装置。
【請求項１０】
二つの扉の対向する一側面を構成する枠部材内壁に扉内部と外気温との温度差により生じる露付き防止のためのヒーターを配設することを特徴とする請求項１から請求項８のいずれか一項に記載の扉装置。
【請求項１１】
仕切体にヒレを１つ以上配設することを特徴とする請求項１から請求項１０のいずれか一項に記載の扉装置。
【請求項１２】
仕切体内部に鉄板を配設することを特徴とする請求項１から請求項１１のいずれか一項に記載の扉装置。
【請求項１３】
請求項１から請求項１２のいずれか一項に記載の扉装置を備えた冷蔵庫。
【発明の詳細な説明】
【技術分野】
【０００１】
本発明は、箱体の開口を密閉，開放させる扉装置およびこの扉装置を備えた冷蔵庫に関するものである。
【背景技術】
【０００２】
従来、この種の扉装置としては観音開き式の扉を有する冷蔵庫は両扉の裏面に設けたガスケットによって庫内を気密に保つため扉の非枢支側に位置するガスケットが当接する面を形成しなければならず、そのため断熱箱体の開口部を区画する閉塞材を取り付けている。（特許文献１参照）
図７、８、９、１０は、特許文献１に記載された従来の扉装置を示すものである。図７は従来の冷蔵庫の斜視図である。図８は従来の冷蔵庫の庫内斜視図である。図９は、従来の冷蔵庫の開口部平面断面図である。図１０は、従来の冷蔵庫の扉の斜視図である。
【０００３】
図７から図１０において1は冷蔵庫であり、鋼板製の外箱２と合成樹脂を形成して成る内箱３と、両箱２，３間に充填される図示しない発泡断熱材とから前方に開口した断熱箱体４を構成し、この断熱箱体４の開口部５の左右縁部に上下ヒンジ６により回動自在に枢支された二枚の観音開式扉７，８によって開口部５を開閉自在に構成している。
【０００４】
扉７，８のそれぞれの非枢支側に位置する部分の断熱箱体４の開口５縁部の上下にはガイド部材９がそれぞれ相対向して設けられている。ガイド部材９内には案内溝１０が形成されている。扉７，８は枠部材１１，１２とそれに係合される扉外板１３，１４から成る外枠１５，１６と、枠部材１１，１２の内フランジ１７，１８を当接して成る扉内板２１，２２と外枠１５，１６及び扉内板２１，２２間にそれぞれ発泡充填された断熱材２３とから構成されている。
【０００５】
扉内板２１，２２にはそれぞれ左右一対の縦壁２４，２５が形成され、又、枠部材１１，１２端部の溝２６，２７には磁石内臓のガスケット２８が取り付けられ、そのヒレ２９は非枢支側の縦壁２４，２５にそれぞれ密接する。ガスケット２８は扉７，８の閉塞時に断熱箱体４の開口５の外箱２前縁に着磁して庫内３０をシールする。
【０００６】
さらに扉７の裏面の非枢支側に位置するガスケット２８より内側の縦壁２４の外側には断面略短形状の仕切体３１が取り付けられる。３２はヒンジ板であり、縦壁２４の外側面において上下二箇所、断熱材２３側の補強板３３にネジ３４にて固定され、仕切体３１はこのヒンジ板３２の回動軸３５に回動自在に支持されている。仕切体３１は開口５縁を上下に渡る長さであって上下のガイド部材９、９の案内溝１０、１０の間隔よりも少許短い寸法で上下に延在しており、前面は平面として図１０の如く鋼板３６が取り付けられている。
【０００７】
さらにその上下端には係合部として突起３７が上下方向にそれぞれ突出形成されている。ヒンジ板３２は仕切体３１の扉７側の後縁部に上下二箇所形成した切欠部３８より仕切体３１内に挿入されてそこに回動軸３５を位置せしめており、この回動軸３５にはコイルばねから成るバネ部材３９が挿通され、一端をヒンジ板３２に、又、他端を回動軸３５から離間した仕切体３１内の爪４０にそれぞれ係合しており、その復元力により仕切体３１を常時図９中矢印如く時計回りに回動する様構成されている。
【０００８】
以上のように構成された従来の扉装置について、以下その動作を説明する。
【０００９】
まず仕切体３１は扉７が開放された状態でバネ部材３９の復元力によって図９中破線で示す如く、扉内板２１の縦壁２４外側面に沿ってネジ３４に当接した状態で保持されている。この初期状態において使用者の手が誤って仕切体３１に当たって図９中反時計回りに回動させられても、バネ部材３９によって初期状態に復帰できる。この動作は仕切体３１の回動角度に無関係に行われるので仕切体３１が回動されたまま扉７が閉じられガイド部材９の突部に仕切体の突起３７が衝突して破損することを防止できる。
【００１０】
次に扉７を閉じていくと、やがて仕切体３１の突起３７が案内溝１０内に進入して案内溝１０内の曲面に沿って摺動し、それに伴い仕切体３１は回動軸３５を中心にバネ部材３９に抗して反時計回りに回動され、突起３７は案内溝１０の奥部に進入して行く。逆に扉７を開ける場合は突起３７が案内溝１０内の曲面に沿って摺動しバネ部材３９の復元力によって時計回りに回動させられ、やがて初期状態に復帰する。
【特許文献１】特開平１−２０８６９０号公報
【発明の開示】
【発明が解決しようとする課題】
【００１１】
しかしながら、上記従来の構成は仕切体３１が扉７の縦壁２４の外側に取り付けられ両扉７，８の閉扉時にはガスケット２９により庫内３０の気密性は十分たもたれるが、開扉時には仕切体３１が縦壁２４の外側を回動するため、回動するための空間を扉７，８内に設けなければならない。つまり縦壁２４，２５を扉の枢支側に移動させなければならない。このため扉７，８内の食品収納スペースが減少し食材収納においては使用者にとって使い勝手の悪い冷蔵庫となってしまう欠点があった。さらに仕切体３１が取り付けられていない側の扉８開時に仕切体３１が食品の取出し面積を減じ、食品の取出し性を阻害してしまう欠点があった。
【００１２】
また、扉７の開閉時、仕切体３１は突起３７がガイド部材９の案内溝１０に沿って９０度回動して摺動するため、突起３７と案内溝１０の摩擦係数が大きくなりよって扉７の開扉力が大きくなり扉開閉においては使用者にとって使い勝手の悪い冷蔵庫となってしまう欠点がある。さらには、使用者が扉を閉めたと思っても摩擦力とバネ部材３９の反発力により不完全な閉まり方になった場合には、庫内温度が上昇し食品鮮度を低下させるという欠点もある。
【００１３】
本発明は従来の課題を解決するもので、扉内側の食品収納スペースを有効に確保し、食品取出し性を向上し、開扉力を小さくすると共に左右均等化し、使い勝手の良い扉装置を提供することを目的とする。
【課題を解決するための手段】
【００１４】
上記従来の課題を解決するために、箱体の開口部において外周部の一側面を対向させて配置した二つの扉と、前記二つの扉の裏面に設けられ閉扉時に前記箱体の開口部前縁に密着するガスケットと、前記二つの扉の対向する一側面に配置されて閉扉時に相互に密着し、かつ前記ガスケットと密着する一対の仕切体を備えて、前記一対の仕切体は、扉の開閉動作に連動して前記仕切体のみが扉と平行に可動するものである。
【００１５】
これによって、従来の仕切体が仕切体を保持する側の扉開時に仕切体自身が回転するために必要である空間と、仕切体を備えない側の扉開時に仕切体の外側をその扉が回動するための空間を必要とせず、庫内側の食品収納スペースを増大できる。また、どちらの扉を開けても、仕切体が食品の取出しを阻害しない。さらに仕切体は左右同一構造体を持ち、開扉力を均等で小さいものを提供できる。
【発明の効果】
【００１６】
本発明の扉装置および冷蔵庫は、扉内側の食品収納スペースを有効に確保し、食品取出し性が向上し、開扉力を小さくすることができる。また、開扉力を左右均等化でき、使い勝手が良くなる。
【発明を実施するための最良の形態】
【００１７】
本発明の請求項１に記載の発明は、箱体の開口部において外周部の一側面を対向させて配置した二つの扉と、前記二つの扉の裏面に設けられ閉扉時に前記箱体の開口部前縁に密着するガスケットと、前記二つの扉の対向する一側面に配置されて閉扉時に相互に密着し、かつ前記ガスケットと密着する一対の仕切体を備えて、前記一対の仕切体は、扉の開閉動作に連動して前記仕切体のみが扉と平行に可動するものであり、従来の仕切体が仕切体を保持する側の扉開時に仕切体自身が回転するために必要である空間と、仕切体を備えない側の扉開時に仕切体の外側をその扉が回動するための空間を必要とせず、庫内側の食品収納スペースを増大できる。また、どちらの扉を開けても、仕切体が食品の取出しを阻害しない。さらに仕切体は左右同一構造体を持ち、開扉力を均等で小さいものを提供できる。
【００１８】
請求項２に記載の発明は、箱体の開口部左右両側に回動自在に枢支された観音開き式の両扉と、前記両扉の裏面に設けられ閉扉時に前記箱体の開口部前縁に密着するガスケットと、前記両扉の非枢支側の側面に配置されて閉扉時に相互に密着し、かつ前記ガスケットと密着する一対の仕切体を備えて、前記一対の仕切体は、扉の開閉動作に連動して前記仕切体のみが扉と平行に可動するものであり、従来の仕切体が仕切体を保持する側の扉開時に仕切体自身が回転するために必要である空間と、仕切体を備えない側の扉開時に仕切体の外側をその扉が回動するための空間を必要とせず、庫内側の食品収納スペースを増大できる。また、どちらの扉を開けても、仕切体が食品の取出しを阻害しない。さらに仕切体は左右同一構造体を持ち、開扉力を均等で小さいものを提供できる。
【００１９】
請求項３に記載の発明は、請求項１または請求項２に記載の発明において、相互に密着する一対の仕切体の密着面にガスケットを備えたものであり、扉相互間の密着度が高まり庫内外のシール性が向上する。
【００２０】
請求項４に記載の発明は、請求項３に記載の発明において、相互に密着する一対のガスケットの密着面内側にマグネットを備えたものであり、扉相互間の密着度が高まり庫内外のシール性が向上する。
【００２１】
請求項５に記載の発明は、請求項４に記載の発明において、マグネットを密着面内で複数の異極に磁化されたマグネットとし、閉扉時相互に対向するマグネットを異極としたものであり、閉扉過程でマグネットの異極同志の反発によって仕切体動作が補助され、ガスケットが互いにこすれることなく密着シールされる。
【００２２】
請求項６に記載の発明は、請求項１から請求項５のいずれか一項に記載の発明において、開扉時に可動仕切体の動作により仕切体相互の密着を解除するように構成したものであり、軽い力で扉の開放操作が行われる。
【００２３】
請求項７に記載の発明は、請求項1から請求項６のいずれか一項に記載の発明において、扉に設けられ可動仕切体を保持して動作する保持部材と、前記保持部材に取り付けられたラッチ部と、箱体に設けられ前記ラッチ部と当接して前記保持部材を動作させるガイド部とを備えたものであり、ラッチ部とガイド部によって仕切体の動作をスムーズに行うことができ、仕切体が互いにこすれることが無く仕切体の耐久性が向上し、さらに扉開閉にかかる力が低減される。
【００２４】
請求項８に記載の発明は、請求項1から請求項７のいずれか一項に記載の発明において、可動仕切体を二つの扉の対向する一側面を構成する枠板に保持させたものであり、仕切体の保持機構を扉を構成する枠部材で形成でき、仕切体の位置を扉に依存させることができ、仕切体位置を安定できる。
【００２５】
請求項９に記載の発明は、請求項1から請求項８のいずれか一項に記載の発明において、可動仕切体内部に扉内部と外気温との温度差により生じる露付き防止のためのヒーターを配設したものであり、扉内部と外気温との温度差により仕切体表面に発生する露付きを防止できる。
【００２６】
請求項１０に記載の発明は、請求項1から請求項８のいずれか一項に記載の発明において、二つの扉の対向する一側面を構成する枠部材内壁に扉内部と外気温との温度差により生じる露付き防止のためのヒーターを配設したものであり、扉内部と外気温との温度差により仕切体表面に発生する露付きを防止でき、かつ仕切体を直接熱しないため庫内温度上昇を防ぐことができる。
【００２７】
請求項１１に記載の発明は、請求項1から請求項１０のいずれか一項に記載の発明において、仕切体にヒレを１つ以上配設したものであり，外気と貯蔵室内部とのシール性、断熱を高めることができる。
【００２８】
請求項１２に記載の発明は、請求項1から請求項１１のいずれか一項に記載の発明において、仕切体内部に鉄板を配設するものであり，仕切体の強度を確保するとともに仕切体構成部材によって直接鉄板が外気または貯蔵室冷気に触れることがないため断熱性が向上し仕切体表面の結露を防ぐことができる。さらに扉裏面に備えられたガスケットの磁石と鉄板が着磁して仕切体とガスケットのシール性が向上することができる。
【００２９】
請求項１３に記載の発明は、請求項1から請求項１２のいずれか一項に記載の扉装置を備えた冷蔵庫であり、どちらの扉を開けても、仕切体が食品の取出しを阻害せず、冷蔵庫庫内側の食品収納スペースを増大できる。さらに仕切体は左右同一構造体を持ち、開扉力を均等で小さくすることができる。
【００３０】
以下、本発明の実施の形態について、図面を参照しながら説明する。なお、この実施の形態によってこの発明が限定されるものではない。
【００３１】
（実施の形態１）
図1は、本発明の実施の形態１における冷蔵庫の斜視図を示すものである。図２は同実施の形態における扉をはずした状態の冷蔵庫の斜視図を示すものである。図３は同実施の形態における扉装置の斜視図を示すものである。図４は同実施の形態における扉装置の断面Ａ−Ａ図を示すものである。
【００３２】
図１から図４において、４１は冷蔵庫本体であり、鋼板製の外箱１０２と樹脂にて形成された内箱１０３と、両箱１０２，１０３間に充填される図示しない発泡断熱材とから前方に開口した断熱箱体１０４を構成し、この断熱箱体１０４の上部より複数の貯蔵室１０５ａ，１０５ｂ，１０５ｃが形成されている。そして、最上部の貯蔵室１０５ａは左右縁部１０５に上下ヒンジ１０６により回動自在に枢支された二枚の観音開式扉４６，４７によって開閉自在に構成されている。
【００３３】
また、断熱箱体１０４において扉４６，４７のそれぞれの非枢支側に位置する部分で断熱箱体１０４の開口部４４の縁部１０５上下にはガイド部１０９が設けられている。ガイド部１０９は先端が円形状を形成している突部１１０が同一形状で開口部４４の左右方向に二つ形成されている。
【００３４】
次に、扉４６，４７は扉外板４８，４９と、扉４６，４７の非枢支側の側面にある枠板５１，５２と、枠板５１，５２の庫内側外周フランジに当接して成る扉内板５３，５４間にそれぞれ発泡充填された発泡断熱材５５とから構成されている。また、６２，６３は内板５３，５４によって扉４６，４７の裏面室内側に形成した扉収納部である。さらに扉４６，４７の裏面の非枢支側に位置するガスケット５６，５７より貯蔵室１０５ａ側の枠板５１，５２には仕切板７３，７４が取り付けられている。仕切体７３，７４は開口部４４を上下に渡る寸法で延在しており、扉４６，４７の閉塞時に仕切体７３，７４が密着し合う。
【００３５】
扉内板５３，５４の上下辺、枢支側にある溝部４２と非枢支側の枠板にある溝部６０，６１には磁石内臓のガスケット５６，５７が４辺とも繋がった枠になって取り付けられている。ガスケット５６，５７は扉４６，４７の閉塞時に断熱箱体１０４の縁部１０５の上下辺、枢支側に着磁して、さらに非枢支側に位置する仕切体７３，７４に密着ないし仕切体７３，７４内部に配設された鉄板８３，８４に着磁することにより庫内１０５ａをシールする。
【００３６】
仕切体７３，７４は扉枠板５１，５２から突き出た１つ以上の支柱６５，６６によって支持され、さらに、１つ以上のコイルバネ６７，６８のバネ力によって仕切体７３，７４同士を密着させている。
【００３７】
仕切体７３，７４には図５に示すように仕切体の上下部に取り付けられた案内溝１１１，１１２が形成されている。開口部４４縁上下部に取り付けられたガイド部１０９の円筒の突起１１０が仕切体７３，７４の案内溝１１１，１１２の曲面に沿って摺動し、それに伴い仕切体７３，７４は支柱６５，６６に取り付けられたストッパー６９，７０と扉側板５１，５２の支柱６５，６６取付面７１，７２の間を扉４６，４７を枢支方向から非枢支方向に、またはその逆に可動する。
【００３８】
例えば、扉４７を開けるとき、ガイド部１０９の突起１１０が仕切体７４の案内溝１１２の曲面に沿って摺動し、コイルバネ６８のバネ力によって反対側にある仕切体７３と密着していた仕切体７４は非枢支側へ可動し、仕切体７４は仕切体７３から離れていく。このことによって、仕切体７３，７４同士が擦れることなく、扉４７を開けることができる。さらに扉４７を開けるときに発生する力（開扉力）はコイルバネ６８を圧縮する力と突起１１０が案内溝１１２の曲面を摺動する抵抗力とガスケット５７の断熱箱体１０４の縁部１０５への着磁力であり、扉４６，４７の開扉力は均等化することができ、コイルバネ６８のバネ力を抑えることにより低減できる。扉４７が開いているとき、扉４６にある仕切体４６はコイルバネ６７によってストッパー６９まで押されてセンターライン７５まで飛び出ているが、開口部４４の半分を食品取り出し空間として利用できる。また、扉開時の扉収納部６３の回動軌跡７８を仕切体７３近傍まで広げることが出来、食品収納できない無効な空間６４を少なくすることができる。
【００３９】
また、扉４７を閉めるとき、コイルバネ６８のバネ力によってストッパー７０の位置まで押されていた仕切体７４はガイド部１０９の突起１１０が仕切体７４の案内溝１１２の曲面に沿って摺動し、取付面７２まで押し込められ反対側にある仕切体７３と擦れることなく扉４７を閉めることができる。このとき、扉４７を勢い良く閉めたときの風圧により反対側の扉４６が開こうとしても突起１１０と扉４６にある仕切体７３の案内溝１１１の曲面との抵抗によって開きにくく、品位の向上にも繋がっている。
【００４０】
仕切体７３，７４に仕切体同士の密着面にガスケット７９，８０を備えることにより、閉塞時の仕切体同士の密着面のシール性を高めることができる。
【００４１】
さらにガスケット７９，８０にＮ極とＳ極が互いに向かい合うようにマグネット８１，８２を備えることにより、閉塞時の仕切体同士の密着面のシール性を高めることができる。また、マグネット８１,８２の磁力により、仕切体同士が密着し合うので、コイルバネ６７，６８を廃止することが出来、合理化できる。
【００４２】
さらにマグネット８１,８２の磁極を複数配設することにより、扉閉時、マグネット８１，８２は異極同士で引き合っているが、片方の扉を開けるとき（または扉を閉めるとき）、マグネット８１，８２の磁極は同極で向かい合い反発しあう。これによって仕切体７４は仕切体７３から離れていき、仕切体が擦れ合うことなく、仕切体に取り付けられたガスケット７９，８０の耐久性を向上でき、更に扉開閉時の抵抗を低減できる。
【００４３】
仕切体７３，７４は外気と貯蔵室１０５ａとをシールしているとともに貯蔵室１０５ａの冷気とを断熱を果たしている。外気と貯蔵室１０５ａの温度差により仕切体の外気側表面には結露が発生する。そこで仕切体内部にヒータ８５，８６の少なくとも１個を配設し仕切体７３，７４を熱することにより、結露を防ぐことができる。
【００４４】
さらに、枠板５１，５２にヒータ８７，８８の少なくとも１個を配設することにより、外板５１，５２からガスケット５６，５７またはヒレ５８，５９から仕切体へ熱伝導で熱が伝わり、仕切体を熱せられ、結露を防ぐことができる。また、直接仕切体を熱しないので、貯蔵室１０５ａの温度上昇も防ぐことが出来、消費電力低減にも繋がる。さらに、ヒータ８７，８８のアルミ８９，９０部分を外板４８，４９に触れさせることにより、外気の熱をアルミを通じて貰うことが出来、ヒータ容量を抑えることが出来、消費電力低減効果をさらにあげることができる。
【００４５】
仕切体にヒレ５８，５９を配設することにより貯蔵室１０５ａからの冷気をガスケット５６，５７からシールすることが出来、ガスケット５６，５７から伝わる熱損失を抑えることが出来、消費電力低減に貢献できる。
【００４６】
仕切体７３，７４内部に配設された鉄板８３，８４はガスケット５６，５７に内蔵されたマグネットに着磁して外気をシールするとともに、仕切体の強度を確保する役目も果たしている。さらに仕切体の構成部材によって直接鉄板８３，８４が外気または貯蔵室１０５ａの冷気に触れることがないため断熱性が向上し仕切体７３，７４表面の結露を防ぐことができる。
【産業上の利用可能性】
【００４７】
以上のように、本発明にかかる扉装置および冷蔵庫は、扉内側の食品収納スペースを有効に確保し、食品取出し性を向上し、開扉力を小さくすると共に左右均等化し、使い勝手の良い扉装置を提供できるので、庫内を左右に仕切る扉を有する収納機器等の用途にも適用できる。
【図面の簡単な説明】
【００４８】
【図１】本発明による冷蔵庫の実施の形態における冷蔵庫斜視図
【図２】同実施の形態における冷蔵庫の庫内斜視図
【図３】図１のＡ−Ａ線断面図
【図４】図１のＡ−Ａ線断面図の詳細図
【図５】図１のＢ−Ｂ線断面図
【図６】同実施の形態における扉斜視図
【図７】従来の冷蔵庫の斜視図
【図８】従来の冷蔵庫の庫内斜視図
【図９】図７のＣ−Ｃ線断面図
【図１０】従来の冷蔵庫の扉背面からの斜視図
【符号の説明】
【００４９】
４１    冷蔵庫
４４    開口部
４６、４７    扉
５１、５２    枠板
５６、５７、７９、８０    ガスケット
５８、５９    ヒレ
７３、７４    仕切体
８１、８２    マグネット
８３、８４    鉄板
１０４    断熱箱体
１０５    縁部
１０９    ガイド部
１１１、１１２    案内溝
【図１】
2005337680.tif 000003
【図２】
2005337680.tif 000004
【図３】
2005337680.tif 000005
【図４】
2005337680.tif 000006
【図５】
2005337680.tif 000007
【図６】
2005337680.tif 000008
【図７】
2005337680.tif 000009
【図８】
2005337680.tif 000010
【図９】
2005337680.tif 000011
【図１０】
2005337680.tif 000012